(57)【要約】【課題】ツイストペア線における通信性能の向上を図る。【解決手段】導電路Ａは、ハウジング１６と、一対の被覆電線１１を撚り合わせたツイストペア線１０と、一対の被覆電線１１の前端部に個別に固着され、ハウジング１６に対し後方から挿入された一対の端子金具１４と、ハウジング１６とは別体であり、ツイストペア線１０を一体的に変位し得るように保持する電線ホルダ２６とを備え、電線ホルダ２６は、ハウジング１６に対し軸線方向への接近及び周方向への相対変位が可能である。ツイストペア線１０を保持した電線ホルダ２６を、ハウジング１６に対し軸線方向に接近させるとともに周方向への相対変位させると、被覆電線１１の撚り解き領域１３が、捻られることによって撚り合わされた状態に戻る。【選択図】図１
2019212553.tif 000002
【特許請求の範囲】
【請求項１】
ハウジングと、
一対の電線を撚り合わせたツイストペア線と、
前記一対の電線の前端部に個別に固着され、前記ハウジングに対し後方から挿入された一対の端子金具と、
前記ハウジングとは別体であり、前記ツイストペア線を一体的に変位し得るように保持する電線ホルダとを備え、
前記電線ホルダは、前記ハウジングに対し軸線方向への接近及び周方向への相対変位が可能であることを特徴とする導電路。
【請求項２】
前記電線ホルダを、前記ハウジングに対し軸線方向に接近させるとともに周方向への相対変位させることが可能なガイド手段を備えていることを特徴とする請求項１記載の導電路。
【請求項３】
前記ガイド手段が、
前記ハウジングと前記電線ホルダのうち一方の外周面に形成した雄ネジ部と、
前記ハウジングと前記電線ホルダのうち他方の内周面に形成した雌ネジ部とを備えて構成されていることを特徴とする請求項２記載の導電路。
【請求項４】
前記ガイド手段が、
前記ハウジングと前記電線ホルダのうち一方の周面に形成した略Ｌ字形のガイド溝と、
前記ハウジングと前記電線ホルダのうち他方の周面に形成され、前記ガイド溝に沿って摺動するガイドピンとを備えて構成されていることを特徴とする請求項２記載の導電路。
【請求項５】
前記ガイド手段が、
前記ハウジングと前記電線ホルダのうち一方の周面に形成した螺旋状のガイド溝と、
前記ハウジングと前記電線ホルダのうち他方の周面に形成され、前記ガイド溝に沿って摺動するガイドピンとを備えて構成されていることを特徴とする請求項２記載の導電路。
【請求項６】
前記ハウジングと前記電線ホルダのうち少なくとも一方に、前記電線のうち撚り戻しされた領域を包囲する磁性体コア又は電磁シールドが取り付けられていることを特徴とする請求項１ないし請求項５のいずれか１項に記載の導電路。
【請求項７】
ハウジングと、
ツイストペア線を構成する一対の電線の前端部に個別に固着され、前記ハウジングに対し後方から挿入された一対の端子金具と、
前記ハウジングとは別体であり、前記ツイストペア線を一体的に変位し得るように保持可能な電線ホルダとを備え、
前記電線ホルダは、前記ハウジングに対し軸線方向への接近及び周方向への相対変位が可能であることを特徴とするコネクタ装置。
【発明の詳細な説明】
【技術分野】
【０００１】
本発明は、導電路及びコネクタ装置に関するものである。
【背景技術】
【０００２】
差動信号伝送では、２本の電線を撚り合わせたツイストペア線が通信線として用いられる。特許文献１には、ツイストペア線と、ツイストペア線を構成する一対の電線の端末部に接続した端子部と、一対の端子部を収容するコネクタ本体とを備えたコネクタが開示されている。ツイストペア線の端末部では、端子部を接続するために電線の撚りが解かれており、端子部はコネクタ本体に対し後方から挿入される。このとき、一対の端子部を同時に挿入するという作業方法では、端子部の挿入が不正になることが懸念されるため、２つの端子部を別々にコネクタ本体に挿入することが好ましい。
【先行技術文献】
【特許文献】
【０００３】
【特許文献１】特開２０１６−１６２５８８号公報
【発明の概要】
【発明が解決しようとする課題】
【０００４】
一方の端子部をコネクタ本体に挿入した後、他方の端子部をコネクタ本体の後方へ移動させる必要がある。そのため、電線の撚り解き長さとして、少なくとも端子部の全長に相当する寸法が必要である。しかし、電線の撚り解き長さが長いと、通信性能が低下する虞があるため、その対策が望まれる。
【０００５】
本発明は上記のような事情に基づいて完成されたものであって、ツイストペア線における通信性能の向上を図ることを目的とする。
【課題を解決するための手段】
【０００６】
第１の発明の導電路は、
ハウジングと、
一対の電線を撚り合わせたツイストペア線と、
前記一対の電線の前端部に個別に固着され、前記ハウジングに対し後方から挿入された一対の端子金具と、
前記ハウジングとは別体であり、前記ツイストペア線を一体的に変位し得るように保持する電線ホルダとを備え、
前記電線ホルダは、前記ハウジングに対し軸線方向への接近及び周方向への相対変位が可能であることを特徴とする。
【０００７】
第２の発明のコネクタ装置は、
ハウジングと、
ツイストペア線を構成する一対の電線の前端部に個別に固着され、前記ハウジングに対し後方から挿入された一対の端子金具と、
前記ハウジングとは別体であり、前記ツイストペア線を一体的に変位し得るように保持可能な電線ホルダとを備え、
前記電線ホルダは、前記ハウジングに対し軸線方向への接近及び周方向への相対変位が可能であることを特徴とする。
【発明の効果】
【０００８】
端子金具をハウジングに挿入した状態では、電線の撚り解き領域がハウジングの後方に延びている。ツイストペア線を保持した電線ホルダを、ハウジングに対し軸線方向に接近させるとともに周方向へ相対変位させると、電線の撚り解き領域が、捻られることによって撚り合わされた状態に戻る。
【図面の簡単な説明】
【０００９】
【図１】実施例１の導電路において被覆電線の撚り解き領域の撚りを戻した状態をあらわす断面図
【図２】被覆電線の撚り解き領域の撚りを戻す前の状態をあらわす断面図
【図３】コネクタ装置の正面図
【図４】電線ホルダがツイストペア線を保持した状態をあらわす正面図
【図５】電線保持部の突起の形状をあらわす断面図
【図６】電線保持部の別の形態の突起の形状をあらわす断面図
【図７】電線保持部の更に別の形態の突起の形状をあらわす断面図
【図８】実施例２の導電路において被覆電線の撚り解き領域の撚りを戻した状態をあらわす平面図
【図９】被覆電線の撚り解き領域の撚りを戻す前の状態をあらわす平面図
【図１０】実施例３の導電路において被覆電線の撚り解き領域の撚りを戻した状態をあらわす平面図
【図１１】被覆電線の撚り解き領域の撚りを戻す前の状態をあらわす平面図
【図１２】実施例４において端子金具をハウジングに挿入し、電線ホルダでツイストペア線を保持した状態をあらわす平面図
【図１３】実施例５の導電路において被覆電線の撚り解き領域の撚りを戻した状態をあらわす平面図
【図１４】被覆電線の被覆電線の撚り解き領域の撚りを戻した後で電線ホルダをハウジングに取り付けた状態をあらわす平面図
【発明を実施するための形態】
【００１０】
本発明は、前記電線ホルダを、前記ハウジングに対し軸線方向に接近させるとともに周方向への相対変位させることが可能なガイド手段を備えていてもよい。この構成によれば、ハウジングに対する電線ホルダの動きが、ガイド手段によって安定するので、作業性が良好となる。
【００１１】
本発明は、前記ガイド手段が、前記ハウジングと前記電線ホルダのうち一方の外周面に形成した雄ネジ部と、前記ハウジングと前記電線ホルダのうち他方の内周面に形成した雌ネジ部とを備えて構成されていてもよい。この構成によれば、雄ネジ部と雌ネジ部の嵌合により、ハウジングに対する電線ホルダの動きが安定し、電線の撚り戻し後の形態が均一となる。
【００１２】
本発明は、前記ガイド手段が、前記ハウジングと前記電線ホルダのうち一方の周面に形成した略Ｌ字形のガイド溝と、前記ハウジングと前記電線ホルダのうち他方の周面に形成され、前記ガイド溝に沿って摺動するガイドピンとを備えて構成されていてもよい。この構成によれば、ガイドピンがガイド溝に摺動することにより、ハウジングに対する電線ホルダの動きが安定し、電線の撚り戻し後の形態が均一となる。
【００１３】
本発明は、前記ガイド手段が、前記ハウジングと前記電線ホルダのうち一方の周面に形成した螺旋状のガイド溝と、前記ハウジングと前記電線ホルダのうち他方の周面に形成され、前記ガイド溝に沿って摺動するガイドピンとを備えて構成されていてもよい。この構成によれば、ガイドピンがガイド溝に摺動することにより、ハウジングに対する電線ホルダの動きが安定し、電線の撚り戻し後の形態が均一となる。
【００１４】
本発明は、前記ハウジングと前記電線ホルダのうち少なくとも一方に、前記電線のうち撚り戻しされた領域を包囲する磁性体コア又は電磁シールドが取り付けられていてもよい。この構成によれば、電線の撚り戻し後の形態が、撚り戻し前の形態と異なっていても、磁性体コア又は電磁シールドにより良好な通信性能を確保することができる。
【００１５】
＜実施例１＞
以下、本発明を具体化した実施例１を図１〜図７を参照して説明する。尚、以下の説明において、前後の方向については、図１，２における左方を前方と定義する。本実施例１の導電路Ａは、ツイストペア線１０と、コネクタ装置１５とを備えて構成されている。ツイストペア線１０は、一対の被覆電線１１（請求項に記載の電線）をシース１２で包囲した周知形態のものである。各被覆電線１１は、可撓性を有する導体を合成樹脂製の絶縁被覆で包囲したものであり、２本の被覆電線１１は螺旋状に撚り合わされている。ツイストペア線１０は、差動信号伝送において、通信線として用いられる。
【００１６】
ツイストペア線１０の前端部においては、シース１２が除去され、２本の被覆電線１１が露出されているともとに、撚りが解かれた状態となっている。各被覆電線１１の撚りを解かれた領域（以下、撚り解き領域１３という）の前端部には、夫々、端子金具１４の後端部が導通可能に固着されている。被覆電線１１の撚り解き領域１３の長さは、少なくとも端子金具１４の前後方向の寸法よりも長い寸法とされている。
【００１７】
コネクタ装置１５は、ハウジング１６と電線ホルダ２６とから構成されている。ハウジング１６は、端子収容部材１７とコアホルダ２０と磁性体コア２４を組み付けて構成されている。端子収容部材１７内には一対の端子収容室１８が形成されている。端子収容室１８は、端子収容部材１７の後端面において端子挿入口として開口している。端子収容部材１７の外周面には、一対のロック突起１９が形成されている。
【００１８】
コアホルダ２０は、ヒンジ部で連結された一対のハウジング側半割部材２１を有し、一対のハウジング側半割部材２１を合体させることで全体として円筒形をなしている。コアホルダ２０の外周後端部には、雄ネジ部２２が形成されている。雄ネジ部２２は、電線ホルダ２６をハウジング１６に組み付ける際にガイド手段２３としての機能を発揮する。
【００１９】
コアホルダ２０の内周のうち前端側領域には、円筒形をなす磁性体コア２４が取り付けられている。磁性体コア２４は、単一部材でもよく、半割状の一対のコア構成体を合体したものでもよい。コアホルダ２０の後端部には、一対のロック孔２５が形成されている。コアホルダ２０は、一対のロック孔２５を一対のロック突起１９に嵌合することで、端子収容部材１７に対し、端子収容部材１７の後端部を包囲するように組み付けられている。端子収容部材１７にコアホルダ２０を組み付けることにより、ハウジング１６が構成されている。
【００２０】
電線ホルダ２６は、ヒンジ部で連結された一対の電線側半割部材２７を有し、一対の電線側半割部材２７を合体させることで全体として円筒形をなしている。電線ホルダ２６の内周前端部には、雌ネジ部２８が形成されている。雌ネジ部２８は、電線ホルダ２６をハウジング１６に組み付ける際に、雄ネジ部２２と協動することでガイド手段２３としての機能を発揮する。電線ホルダ２６の内周のうち前後方向における中央部には、磁性体コア２９が取り付けられている。磁性体コア２４は、単一部材でもよく、半割状の一対のコア構成体を合体したものでもよい。
【００２１】
電線ホルダ２６の内周の後端部には、電線保持部３０が形成されている。電線保持部３０の内周には、図５に示すエンボス状の突起３１や、図６に示すクロス形の突起３２や、図７に示すリブ状の突起３３等が形成されている。電線保持部３０の内径は、ツイストペア線１０のシース１２の外径よりも少し小さい寸法に設定されている。電線保持部３０は、ツイストペア線１０におけるシース１２の前端部に外嵌され、シース１２の外周に突起３１，３２，３３が食い込んでいる。
【００２２】
導電路Ａを組み付ける際には、まず、一対の端子金具１４のうち一方の端子金具１４を、端子収容部材１７の後方から一方の端子収容室１８に挿入する。この後、他方の端子金具１４を、一旦、端子収容部材１７の後方へ移動させるのであるが、被覆電線１１の撚り解き領域１３として、端子金具１４の全長より長い寸法が確保されているので、他方の端子金具１４を、端子収容部材１７の後端面に対して正対させることができる。したがって、他方の端子金具１４を、端子収容室１８に対して傾けることなく真っ直ぐに挿入することができる。
【００２３】
一対の端子金具１４を端子収容部材１７に挿入すると、一対の被覆電線１１の撚り解き領域１３が端子収容部材１７の後方へ導出された状態となる。端子金具１４の挿入後は、一対のハウジング側半割部材２１を合体しながらコアホルダ２０を端子収容部材１７の後端部に組み付ける。これにより、２本の被覆電線１１の撚り解き領域１３のうち前端側領域がコアホルダ２０で包囲され、被覆電線１１の撚り解き領域１３のうち後端側領域がコアホルダ２０の後方へ導出した状態となる。
【００２４】
この後、コアホルダ２０（ハウジング１６）の後方において、一対の電線側半割部材２７を合体しながら電線保持部３０をシース１２の前端部外周に外嵌し、電線保持部３０の突起３１，３２，３３をシース１２の外周に食い込ませる。この食い込みにより、電線ホルダ２６が、ツイストペア線１０のうちシース１２に埋設された被覆電線１１が撚り合わされている領域を保持し、ツイストペア線１０のうち電線ホルダ２６に保持された領域と、電線ホルダ２６とが一体的に変位するように組み付けられる。また、被覆電線１１の撚り解き領域１３のうちコアホルダ２０の後方へ導出された後端側領域が、電線ホルダ２６で包囲される。
【００２５】
この後、電線ホルダ２６の雌ネジ部２８をハウジング１６の雄ネジ部２２にねじ込む。ねじ込みに伴い、一対の被覆電線１１のうち撚り合わされた状態でシース１２に埋設されている領域が、端子収容部材１７に対して接近するとともに、周方向へ相対回転する。これにより、端子収容部材１７の後端とシース１２の前端との間では、一対の被覆電線１１の撚り解き領域１３が捻られる。ハウジング１６に対する電線ホルダ２６の組付けが完了すると、一対の被覆電線１１の撚り解き領域１３が撚り合わされた形態に戻る。
【００２６】
本実施例１の導電路Ａは、一対の被覆電線１１を撚り合わせたツイストペア線１０と、コネクタ装置１５とを備えている。一対の被覆電線１１の前端部には一対の端子金具１４が個別に固着されている。コネクタ装置１５は、ハウジング１６と、ハウジング１６とは別体の電線ホルダ２６とを備えている。ハウジング１６には、ハウジング１６の後方から一対の端子金具１４が挿入されている。電線ホルダ２６は、ツイストペア線１０を一体的に変位し得るように保持した状態で、ハウジング１６に対し軸線方向への接近及び周方向への相対変位が可能となっている。
【００２７】
一対の端子金具１４をハウジング１６に挿入した状態では、被覆電線１１の撚り解き領域１３がハウジング１６の後方に延びているが、撚り解き領域１３ではノイズの影響による通信性能の低下が懸念される。そこで、電線ホルダ２６により、ツイストペア線１０のうち被覆電線１１が撚り合わされた領域（シース１２に埋設された領域）を保持し、その電線ホルダ２６をハウジング１６に対し軸線方向に接近させるとともに周方向へ相対変位させる。これにより、被覆電線１１の撚り解き領域１３が、捻られることによって撚り合わされた状態に戻る。これにより、ハウジング１６の後端とシース１２の前端との間においても良好な通信性能が確保される。
【００２８】
また、コネクタ装置１５には、電線ホルダ２６を、ハウジング１６に対し軸線方向に接近させるとともに周方向への相対変位させるための案内手段としてのガイド手段２３を備えている。このガイド手段２３は、ハウジング１６の外周面に形成した雄ネジ部２２と、電線ホルダ２６の内周面に形成した雌ネジ部２８とを備えて構成されている。雄ネジ部２２と雌ネジ部２８の嵌合により、電線ホルダ２６をハウジング１６に組み付ける際に電線ホルダ２６の動きが安定するので、作業性が良好である。また、被覆電線１１のうち撚り解き領域１３の撚りが戻された撚り戻し領域３４の形態（撚りのピッチ）が均一となる。
【００２９】
また、ハウジング１６と電線ホルダ２６には、被覆電線１１の撚り戻し領域３４を包囲する磁性体コア２４，２９が取り付けられているので、被覆電線１１の撚り戻し後の形態が、撚り戻し前の形態と異なっていても、磁性体コア２４，２９によって良好な通信性能を確保することができる。
【００３０】
＜実施例２＞
次に、本発明を具体化した実施例２を図８〜図９を参照して説明する。本実施例２の導電路Ｂ及びコネクタ装置３５は、ガイド手段３６を上記実施例１とは異なる構成としたものである。その他の構成については上記実施例１と同じであるため、同じ構成については、同一符号を付し、構造、作用及び効果の説明は省略する。
【００３１】
本実施例２のガイド手段３６は、ハウジング３７を構成する端子収容部材１７とコアホルダ３８のうちコアホルダ３８の外周後端部に形成したガイドピン３９と、電線ホルダ４０の前端部に形成した略Ｌ字形のガイド溝４１とを備えて構成されている。ガイド溝４１は、電線ホルダ４０の前端縁に開口する軸線方向の第１溝部４２と、第１溝部４２の後端から周方向に延びる第２溝部４３とから構成されている。
【００３２】
電線ホルダ４０をハウジング３７（コアホルダ３８）の後端部に外嵌して組み付ける際には、まず、電線ホルダ４０をコアホルダ３８に対して軸線方向に接近させることにより、ガイドピン３９を、第１溝部４２内に進入させる。この後、電線ホルダ４０をハウジング３７に対し周方向に相対変位させることにより、ガイドピン３９を第２溝部４３に沿って移動させる。ガイドピン３９がガイド溝４１の内側縁部に摺接することにより、ハウジング３７に対する電線ホルダ４０の動きが安定するので、作業性が良好である。また、被覆電線１１の撚り解き領域１３を捻り戻した後の撚り戻し領域３４の形態が均一となる。
【００３３】
＜実施例３＞
次に、本発明を具体化した実施例３を図１０〜図１１を参照して説明する。本実施例３の導電路Ｃ及びコネクタ装置４４は、ガイド手段４５を上記実施例１及び実施例２とは異なる構成としたものである。その他の構成については上記実施例１と同じであるため、同じ構成については、同一符号を付し、構造、作用及び効果の説明は省略する。
【００３４】
本実施例３のガイド手段４５は、ハウジング４６を構成する端子収容部材１７とコアホルダ４７のうちコアホルダ４７の外周後端部に形成したガイドピン４８と、電線ホルダ４９の前端部に形成した螺旋状のガイド溝５０とを備えて構成されている。ガイド溝５０の前端部は、電線ホルダ４９の前端縁に開口している。電線ホルダ４９をハウジング４６（コアホルダ４７）の後端部に外嵌して組み付ける際には、まず、電線ホルダ４９をコアホルダ４７に対して軸線方向に接近させることにより、ガイドピン４８を、ガイド溝５０の前端部に進入させる。
【００３５】
この後、電線ホルダ４９をハウジング４６に対し周方向に相対変位させることにより、ガイドピン４８をガイド溝５０に沿って移動させる。ガイドピン４８がガイド溝５０の内側縁部に摺接することにより、ハウジング４６に対する電線ホルダ４９の動きが安定するので、作業性が良好である。また、被覆電線１１の撚り解き領域１３を捻り戻した後の撚り戻し領域３４の形態が均一となる。
【００３６】
＜実施例４＞
次に、本発明を具体化した実施例４を図１２を参照して説明する。本実施例４の導電路Ｄは、ツイストペア線１０の本数とコネクタ装置５１の構成を上記実施例１とは異なるものとしている。その他の構成については上記実施例１と同じであるため、同じ構成については、同一符号を付し、構造、作用及び効果の説明は省略する。
【００３７】
本実施例４では、３本のツイストペア線１０と、１つのコネクタ装置５１とを備えている。コネクタ装置５１は、１つのハウジング５２と３つの電線ホルダ２６とを備えて構成されている。ハウジング５２は、１つの端子収容部材５３と、１つのコアホルダ５４とを備えて構成されている。端子収容部材には、三対の端子収容室５５が形成されている。
【００３８】
コアホルダ５４には、コアホルダ５４の後端面から突出する３つの筒状取付部５６が形成されている。各筒状取付部５６は、対をなす端子収容室５５と対応するように形成されている。各筒状取付部５６の内周には磁性体コア（図示省略）が取り付けられている。筒状取付部５６の外周には、ガイド手段５７として機能する雄ネジ部５８が形成されている。電線ホルダ２６は、実施例１と同一形態である。
【００３９】
各ツイストペア線１０を構成する一対の被覆電線１１の前端部には、一対の端子金具１４が個別に固着されている。対をなす端子金具１４は、実施例１と同様、対をなす端子収容室５５に個別に挿入されている。端子金具１４を端子収容室５５に挿入した後は、３本のツイストペア線１０のシース１２に３つの電線ホルダ２６を個別に取り付ける。各電線ホルダ２６を、夫々、筒状取付部５６に取り付ける。電線ホルダ２６を取り付ける際には、電線ホルダ２６の雌ネジ部２８を筒状取付部５６の雄ネジ部５８にねじ込む。このねじ込みにより、各ツイストペア線１０における被覆電線１１の撚り解き領域１３が、捻られることによって寄り合わされた状態に戻り、撚り戻し領域３４となる。
【００４０】
＜実施例５＞
次に、本発明を具体化した実施例５を図１３〜図１４を参照して説明する。本実施例５の導電路Ｅは、コネクタ装置５９を上記実施例１とは異なる構成としたものである。その他の構成については上記実施例１と同じであるため、同じ構成については、同一符号を付し、構造、作用及び効果の説明は省略する。
【００４１】
本実施例５のコネクタ装置５９は、ハウジング６０と電線ホルダ６３とから構成されている。ハウジング６０は、端子収容部材１７とコアホルダ６１と磁性体コア２４を組み付けて構成されている。端子収容部材１７内には一対の端子収容室１８が形成されている。端子収容室１８は、端子収容部材１７の後端面において端子挿入口として開口している。
【００４２】
コアホルダ６１は、実施例１と同様、ヒンジ部（図示省略）で連結された一対のハウジング側半割部材（図示省略）を合体させることで、全体として円筒形に構成されている。コアホルダ６１の内周には円筒形の磁性体コア２４が取り付けられている。コアホルダ６１の前端部は端子収容部材１７の後端部に外嵌した状態で取り付けられている。コアホルダ６１の外周後端部には、一対の係止突起６２が形成されている。
【００４３】
電線ホルダ６３は、実施例１と同様、ヒンジ部（図示省略）で連結された一対の電線側半割部材（図示省略）を合体させることで、全体として円筒形に構成されている。電線ホルダ６３の前端部には弾性係止片６５が形成され、弾性係止片６５には、係止孔６６が形成されている。電線ホルダ６３の内周のうち前後方向における中央部には、円筒形の磁性体コア２９が取り付けられている。電線ホルダ６３の内周の後端部には電線保持部６４が形成されている。電線保持部６４の内周には、実施例１と同様の突起（図示省略）が形成されている。
【００４４】
導電路Ｅを組み付ける際には、まず、一対の端子金具１４のうち一方の端子金具１４を、端子収容部材１７の後方から一方の端子収容室１８に挿入する。この後、他方の端子金具１４を、一旦、端子収容部材１７の後方へ移動させるのであるが、被覆電線１１の撚り解き領域１３として、端子金具１４の全長より長い寸法が確保されているので、他方の端子金具１４を、端子収容部材１７の後端面に対して正対させることができる。したがって、他方の端子金具１４を、端子収容室１８に対して傾けることなく真っ直ぐに挿入することができる。
【００４５】
一対の端子金具１４を端子収容部材１７に挿入すると、一対の被覆電線１１の撚り解き領域（図示省略）が端子収容部材１７の後方へ導出された状態となる。端子金具１４の挿入後は、一対のハウジング側半割部材を合体しながらコアホルダ６１を端子収容部材１７の後端部に組み付ける。これにより、２本の被覆電線１１の撚り解き領域のうち前端側領域がコアホルダ６１で包囲され、被覆電線１１の撚り解き領域のうち後端側領域がコアホルダ６１の後方へ導出した状態となる。
【００４６】
この後、コアホルダ６１（ハウジング６０）の後方において、電線ホルダ６３の電線保持部６４をシース１２の前端部に外嵌し、突起（図示省略）をシース１２の外周に食い込ませる。この食い込みにより、電線ホルダ６３が、ツイストペア線１０のうちシース１２に埋設されて被覆電線１１が寄り合わされている領域を保持し、電線ホルダ６３と、ツイストペア線１０のうち電線ホルダ６３で保持した領域とが一体的に変位することができるようになる。また、被覆電線１１の撚り解き領域のうちコアホルダ６１の後方へ導出された後端側領域が、電線ホルダ６３で包囲される。
【００４７】
この後、電線ホルダ６３を、ハウジング６０（コアホルダ６１）に対し接近させるとともに、周方向へ相対回転させる。これにより、端子収容部材１７の後端とシース１２の前端との間では、一対の被覆電線１１の撚り解き領域が、捻られて撚りが戻される。被覆電線１１の撚りを戻した後、電線ホルダ６３を回転させずにコアホルダ６１の後端部外周に組み付ける。このとき、係止孔６６を係止突起６２に係止させる。この係止作用により、電線ホルダ６３とハウジング６０（コアホルダ６１）とが組み付け状態にロックされ、コネクタ装置５９と導電路Ｅの組付けが完了する。
【００４８】
＜他の実施例＞
本発明は上記記述及び図面によって説明した実施例に限定されるものではなく、例えば次のような実施例も本発明の技術的範囲に含まれる。
（１）上記実施例１では、ハウジング側に雄ネジ部を形成し、電線ホルダに雌ネジ部を形成したが、ハウジングの雌ネジ部を形成し、電線ホルダに雄ネジ部を形成してもよい。
（２）上記実施例２では、ハウジングにガイドピンを形成し、電線ホルダにガイド溝を形成したが、ハウジングにガイド溝を形成し、電線ホルダにガイドピンを形成してもよい。
（３）上記実施例３では、ハウジングにガイドピンを形成し、電線ホルダにガイド溝を形成したが、ハウジングにガイド溝を形成し、電線ホルダにガイドピンを形成してもよい。
（４）上記実施例１〜５では、ハウジングが端子収容部材とコアホルダとを組み付けて構成されているが、ハウジングは、端子収容部材とコアホルダとを一体化させた単一部材であってもよい。
（５）上記実施例１〜５では、ハウジングと電線ホルダの両方に磁性体コアを取り付けたが、磁性体コアは、ハウジングだけに取り付けてもよく、電線ホルダだけに取り付けてもよい。
（６）上記実施例１〜５では、電線のうち撚り戻しされた領域を磁性体コアで包囲するようにしたが、磁性体コアを設けない形態としてもよい。
（７）上記実施形態１〜５では、電線のうち撚り戻しされた領域を磁性体コアで包囲したが、電線のうち撚り戻しされた領域を、磁性体コアに替えて電磁シールドで包囲してもよい。
（８）上記実施例４では、１つの端子収容部材と１つのコアホルダとを組み付けてハウジングを構成したが、ハウジングは、１つの端子収容部材と複数のコアホルダを組み付けて構成してもよく、複数の端子収容部材と１つのコアホルダとを組み付けて構成してもよい。
（９）上記実施例４では、１つのハウジングに３つの電線ホルダ（３本のツイストペア線）を取り付けたが、１つのハウジングに取り付ける電線ホルダの数（ツイストペア線の本数）は、２つ（２本）でもよく、４つ（４本）以上でもよい。
【符号の説明】
【００４９】
Ａ，Ｂ，Ｃ，Ｄ，Ｅ…導電路
１０…ツイストペア線
１１…被覆電線（電線）
１４…端子金具
１５，３５，４４，５１，５９…コネクタ装置
１６，３７，４６，５２，６０…ハウジング
２２…雄ネジ部
２３，３６，４５，５７…ガイド手段
２４，２９…磁性体コア
２６，４０，４９，６３…電線ホルダ
２８…雌ネジ部
３９，４８…ガイドピン
４１，５０…ガイド溝
【図１】
2019212553.tif 000003
【図２】
2019212553.tif 000004
【図３】
2019212553.tif 000005
【図４】
2019212553.tif 000006
【図５】
2019212553.tif 000007
【図６】
2019212553.tif 000008
【図７】
2019212553.tif 000009
【図８】
2019212553.tif 000010
【図９】
2019212553.tif 000011
【図１０】
2019212553.tif 000012
【図１１】
2019212553.tif 000013
【図１２】
2019212553.tif 000014
【図１３】
2019212553.tif 000015
【図１４】
2019212553.tif 000016